(57)【要約】【課題】  ノック操作により針を疑似餌本体に対して出没可能とし、しかもいか釣り動作時以外の時には針全体を疑似餌本体内に没すようにすることにより、スリムで，取り扱いが安全・容易であり，幹糸の絡みが容易に解け、外道の針外しも容易ないか角を提供する。【解決手段】  枝糸取付部材４をノックボタンに適用し、疑似餌本体２の上部側にノック機構１３を内蔵させ、疑似餌本体の下部側に複数の針１６を枢着した針台１５とこれら針の放出方向をガイドするガイド板１９を重積内蔵し、前記針台の下面をばね２２により付勢すると共にガイド板の上面に前記ノック機構からのノックピン１４を接続し、ガイド板の近傍上位の疑似餌本体の周壁に前記各針が挿通される針通し孔２４群を形成したいか角１。【選択図】        図１
2005245378.tif 000002
【特許請求の範囲】
【請求項１】
疑似餌本体の基端側に枝糸取付部材を備え、他端側に傘状に複数の針を配置したいか角において、前記枝糸取付部材をノックボタンに適用し、前記疑似餌本体の上部側にノック機構を内蔵させ、疑似餌本体の下部側に複数の針を枢着した針台とこれら針の放出方向をガイドするガイド板を重積内蔵し、前記針台の下面をばねにより付勢すると共にガイド板の上面に前記ノック機構からのノックピンを接続し、ガイド板の近傍上位の疑似餌本体の周壁に前記各針が挿通される針通し孔群を形成したことを特徴とするいか角。
【請求項２】
疑似餌本体を軸線方向に２分割し、その一方の分割体をカラ―板で構成し、該分割体を他方の分割体にスナップ機構で組み付けて着脱自在としたことを特徴とする請求項１記載のいか角。
【発明の詳細な説明】
【技術分野】
【０００１】
本発明は、疑似餌本体の基端側に枝糸取付部材を備え、他端側に傘状に複数の針を配置したいか角に関し、特にいか角の取り扱い上の安全対策に関するものである。
【背景技術】
【０００２】
従来、疑似餌本体の基端側に枝糸取付部材を備え、他端側に傘状に複数の針を配置したいか角において、いか釣り動作時以外の例えば，釣り仕掛けの作製時やいか角の収納保管時等に誤って傘状の針に手が触れて怪我をしたり或は幹糸が絡んで釣り仕掛けを駄目にするようなことがないようにするため、傘状の針の部位をキャップで覆い隠すようにしたものがある（例えば、特許文献１参照。）。
【０００３】
【特許文献１】実用新案登録第３０４７２８２号公報。
【発明の開示】
【発明が解決しようとする課題】
【０００４】
ところで前記従来技術では、いか釣り動作時以外の時にも複数の針は傘状に形成したままであり、これをキャップでカバ―することから、いか角の外形が大きくしかもキャップの取り扱いが面倒であり、さらにはいか釣り時に幹糸が針に絡んだ際にそれを解くのが面倒であったりあるいは釣り中に外道が針掛かりしそれを針から外すのが難しい場合等がある。
【０００５】
本発明は、従来の技術の有するこのような問題点に鑑みてなされたものであり、その目的とするところは、ノック操作により針を疑似餌本体に対して出没可能とし、しかもいか釣り動作時以外の時には針全体を疑似餌本体内に没すようにすることにより、スリムで，取り扱いが安全・容易であり，幹糸の絡みが容易に解け、外道の針外しも容易ないか角を提供しようとするものである。
【課題を解決するための手段】
【０００６】
上記目的を達成するために、本発明におけるいか角は、疑似餌本体の基端側に枝糸取付部材を備え、他端側に傘状に複数の針を配置したいか角において、前記枝糸取付部材をノックボタンに適用し、前記疑似餌本体の上部側にノック機構を内蔵させ、疑似餌本体の下部側に複数の針を枢着した針台とこれら針の放出方向をガイドするガイド板を重積内蔵し、前記針台の下面をばねにより付勢すると共にガイド板の上面に前記ノック機構からのノックピンを接続し、ガイド板の近傍上位の疑似餌本体の周壁に前記各針が挿通される針通し孔群を形成したことを特徴とするものである。
【０００７】
また、疑似餌本体を軸線方向に２分割し、その一方の分割体をカラ―板で構成し、該分割体を他方の分割体にスナップ機構で組み付けて着脱自在としたことを特徴とするものである。
【発明の効果】
【０００８】
本発明においては、枝糸取付部材をノックボタンに適用し、疑似餌本体の上部側にノック機構を内蔵させ、疑似餌本体の下部側に複数の針を枢着した針台とこれら針の放出方向をガイドするガイド板を重積内蔵し、前記針台の下面をばねにより付勢すると共にガイド板の上面に前記ノック機構からのノックピンを接続し、ガイド板の近傍上位の疑似餌本体の周壁に前記各針が挿通される針通し孔群を形成したので、ノックボタンの操作によりいか釣り動作時以外の時には針全体が疑似餌本体に没して、いか角全容貌がスリムで，取り扱いが安全・容易であり、いか釣り動作時にも幹糸が絡んだり外道が針掛かりしてもノックボタンの操作により針全体が疑似餌本体に没させることにより糸の絡みが容易に解けあるいは外道の針外しも容易にできるいか角である。
【０００９】
また、疑似餌本体を軸線方向に２分割し、その一方の分割体をカラ―板で構成し、該分割体を他方の分割体にスナップ機構で組み付けて着脱自在とした場合には、海の濁り状態に応じて疑似餌本体の色彩を簡単に変化させ得て釣果を向上させることができるいか角である。
【発明を実施するための最良の形態】
【００１０】
図１ないし図３は本発明に係る実施例のいか角に関するものであり、図１は本発明に係るいか角の一部縦断面説明図、図２は針台とガイド板の展開斜視図、図３は疑似餌本体の周壁と針との関係を示す断面図である。
【００１１】
図１において、１はいか角全体を示すものであり、該いか角１は中空筒体に構成された合成樹脂製の疑似餌本体２と、該疑似餌本体２の上部位基端側には抜け止め部材３により抜け止めされた合成樹脂製の枝糸取付部材４が配置されており、該枝糸取付部材４は後述するノック機構のノックボタンに兼用されるものである。
【００１２】
そして、この枝糸取付部材４には、枝糸（図示せず）を通す貫通孔５が穿設されていると共にその頭部６はノックを容易にするため略球形状に形成され、またその脚部７は拡径されて前記抜け止め部材３に当接可能となっている。
【００１３】
８は、前記疑似餌本体２の内周側に回動自在に配置され前記枝糸取付部材４をノックすることにより回動と上下動を行うための上端に傾斜面が形成された複数の突条９，９…を備えた合成樹脂製のノック駆動部であり、１０は、前記ノック駆動部８の上昇を一時制限したり，上昇を許容するための複数の下端傾斜面１１，１１…と各傾斜面１１間に形成された縦溝１２，１２…とを備え前記疑似餌本体２の内周側に固定された合成樹脂製のノックガイド部材であり、これらノック駆動部８とノックガイド部材１０とでノック機構１３を構成している。そして、ノック駆動部８には、疑似餌本体２の中空筒体内を下方に延びるノックピン１４の上端側が遊嵌されている。
【００１４】
１５は傘状に複数の針１６，１６…を保持するための合成樹脂製の針台であり、該針台１５の上面には多数の凹孔１７，１７…が形成されており、その各凹孔１７に各針１６の根部の球体１８が植設されて、針台１５に対して針１６は揺動可能になっている。１９は前記針台１５からの各針１６を疑似餌本体２の内周の向けて放射方向にガイドする合成樹脂製のガイド板であり、該ガイド板１９には多数の長孔２０，２０…が穿設され、各長孔２０はガイド板１９の中心部から放射方向に形成されて前記針台１５からの各針１６を挿通しガイドするようになっている。（図２参照）。
【００１５】
なお、前記針１６は、前述の如くそれぞれ単独で針台１５に植設される以外に、例えば、隣接する２本の針１６，１６をそれぞれの根部で連結すると共に針台１５に形成された隣接する２個の凹孔１７，１７を断面円弧状の溝で連結して、前記連結された針１６，１６を連結された凹孔１７，１７に同時に植設するようにしてもよく、また、針台１５に植設される針１６の数は６本または８本が好適であるが、その数は限定するものではない。
【００１６】
前記ガイド板１９と針台１５とは疑似餌本体２の内部下部位側に上下に重積されており、ガイド板１９の上面中央には前記ノックピン１４の下端側が当接あるいは固着されており、この状態でノックピン１４とガイド板１９とは接続されている。また、針台１５の下面は、疑似餌本体２の底部２１内に配置されたばね２２により上方に向け付勢されている。したがって、針台１５とガイド板１９とは重なった状態で常に上方に向け付勢されるものである。
【００１７】
そして、図３に示すように、疑似餌本体２の周壁２３には、前記針１６を挿通する針通し孔２４がガイド板１９の近傍でその上位に多数穿設され、該各針通し孔２４は側面視で上下方向に長い形状で、しかも周壁２３の外面から内面に向けて下向きに傾斜し順次細くなり、横巾は略均一（針の径より僅かに大きい）にして周壁２３を貫通して構成されている。
【００１８】
なお、前記ノック機構１３としては前記突条，傾斜面等を利用したものに限らず、ノック動作によりノック駆動部８が疑似餌本体２で上下の位置にそれぞれ保持され得るように例えばピンと係止孔等を用いた普通に知られた機構を採用してもよく、また疑似餌本体２の形状は単純な中空筒体に限らず魚形の例えば海老の外形をした中空体としてもよい。
【００１９】
以上のような構成からなるいか角１において、いか釣り動作時以外の例えば仕掛の作製中や疑似餌本体２の収納時には、枝糸取付部材４をノックしてノック駆動部８の突条９の傾斜面とノックガイド部材１０の傾斜面１１とを係止させてノック駆動部８を下側位置にすることにより、ノックピン１４によってガイド板１９と針台１５とはばね２２の付勢力に抗して下位に重積状態となり、各針１６は疑似餌本体２の周壁２３内に没するので、疑似餌本体２の外表面には針１６の突出がなく、いか角全容貌がスリムとなり、針が引っかかることがなくいか角１の取り扱いが安全・容易なものとなる（図３で仮想線で示す）。
【００２０】
また、いか釣り動作時には、枝糸取付部材４を再度ノックしてノック駆動部８の突条９をノックガイド部材１０の縦溝１２に引き込ませノック駆動部８が上昇して上側位置になることにより、ノックピン１４によってガイド板１９と針台１５とはばね２２の付勢力により上位に重積状態となり、各針１６の先端側は疑似餌本体２の周壁２３内から突出して、針１６全体で傘状に形成されるので、いか角１は通常のいか釣りに供される。
【００２１】
そして、このいか釣り時に幹糸（図示せず）が針１６に絡んだ際や外道が針掛かりした場合には、海中から仕掛を引き揚げた状態で枝糸取付部材４を再度ノックして針１６全体を疑似餌本体２の周壁２３内に没させることにより、幹糸は針１６から分離し糸の絡みは簡単に解け、あるいは外道の針掛かりも針１６の移動により外道と針１６が分離して針外しが容易にできるものである。
【００２２】
図４はいか角１の他の実施例を示すものであり、前記疑似餌本体２を軸線方向に２分割し、その一方の分割体２’をカラ―板で構成し、該分割体２’を他方の分割体にスナップ機構で組み付けて着脱自在としたもので、その余の構成は先の実施例と実質的に同一であるので同一符号を付してその説明を省略する。
【００２３】
図４において、一方の分割体２’の上下端部には段部３１，３２が形成され、また他方の分割体には前記段部３１，３２と係合する段部３３，３４が形成されていると共に、他方の分割体には一方の分割体２’の上下端部近傍を係止する係止帯３５，３６が巻回されている（各段部の拡大図を引出し線により引出して示した）。
【００２４】
そして、一方の分割体２’として、赤，白，黄色等を施したカラ―板を多数用意し、その中から海の濁り状態に応じて適宜一つを選択採用し、この一方の分割体２’を他方の分割体に設けた前記係止帯３５，３６を潜らせた後，上下の段部３１，３２を他方の分割体の段部３３，３４に該分割体２’の板の弾性を利用したスナップ機構により係合取付け、あるいは取り外すようにする。そしてこの際，疑似餌本体２の前記他方の分割体としては透明な合成樹脂材を用いるとカラ―板の色彩をより鮮明に表現させることができる。
【００２５】
このようにして、使用するいか角１の疑似餌本体２の色彩を海の濁り状態に応じて簡単に変化させることにより、いか釣りの釣果をより向上させることができるのである。
【図面の簡単な説明】
【００２６】
【図１】図１は本発明に係るいか角の一部縦断面説明図である。
【図２】図２は針台とガイド板の拡大した展開斜視図である。
【図３】図３は疑似餌本体の周壁と針との関係を示す拡大断面図である。
【図４】図４は本発明に係るいか角の他の実施例の一部縦断面説明図である。
【符号の説明】
【００２７】
１                        いか角
２                        疑似餌本体
２’                      一方の分割体
４                        枝糸取付部材
１３                      ノック機構
１４                      ノックピン
１５                      針台
１６                      針
１９                      ガイド板
２２                      ばね
２３                      疑似餌本体の周壁
２４                      針通し孔
【図１】
2005245378.tif 000003
【図２】
2005245378.tif 000004
【図３】
2005245378.tif 000005
【図４】
2005245378.tif 000006